(57)【特許請求の範囲】
【請求項１】
光ファイバ接続具システムにおいて、
フェルールを取り囲むハウジングを含み、その前端に向けて少なくとも一つの光ファイバケーブルの終端を配置する手段を有する、光ファイバプラグと、
少なくとも一つの光ファイバケーブルを受け入れ且つ配置する後端を有する光ファイバジャックと、
前記光ファイバジャックの前端に形成されたプラグ受け入れ開口部と、
前記プラグ受け入れ開口部内に配置されると共に、該開口部内に完全に挿入したとき、
前記光ファイバプラグのハウジング上の相補的なカム面と係合し得るような位置に配置された突出カム面を有するばね板と、を備え、
前記ばね板が、ハウジングに固着された下方脚部と、前記プラグと係合する上方脚部とを有する、後方に曲がった金属製クリップであることを特徴とする、光ファイバ接続具システム。
【請求項２】
光ファイバ接続具システムにおいて、
フェルールを取り囲むハウジングを含み、その前端に向けて少なくとも一つの光ファイバケーブルの終端を配置する手段を有する、光ファイバプラグと、
少なくとも一つの光ファイバケーブルを受け入れ且つ配置する後端を有する光ファイバジャックと、
前記光ファイバジャックの前端に形成されたプラグ受け入れ開口部と、
前記プラグ受け入れ開口部内に配置されると共に、該開口部内に完全に挿入したとき、
前記光ファイバプラグのハウジング上に形成された凹所と係合し得るような位置に配置された突出カム面を有するばね板とを備え、
前記ばね板の突出カム面は、前記光ファイバプラグのハウジング上の相補的なカム面と係合することを特徴とする、光ファイバ接続具システム。
【発明の詳細な説明】
【０００１】
【発明の属する技術分野】
本発明は、光ファイバの接続具システム、より具体的には、改良された、低廉な光ファイバ接続具ジャックであって、プラグのファイバを該ジャックのファイバに対して偏倚させ得るように相補的なプラグと係合する設計のばね板ラッチを備える、接続具ジャックに関する。
【０００２】
【従来の技術】
通信業界において情報を伝達するために光ファイバを使用することは、より高速のデータ速度を可能にし、また、電気導体に伴う電磁干渉の問題を回避し得るために、益々、普及している。
【０００３】
【発明が解決しようとする課題】
全てのプラグ及びジャック式接続具システムは、プラグの接点がジャックの接点と接触する関係に保たれる、ある種の係合機構の形態を必要とする。標準的な電気通信プラグ及びジャックに一般的であるように、後方に曲がった導体が、プラグ及びジャックが係合したとき、互いにばね偏倚された関係となるように配置される。しかしながら、軸方向への固有のばね特性が存在しない光ファイバケーブルの場合、業界は、プラグ及びジャックコンセントの係合する光ファイバケーブルを互いに軸方向に対して偏倚させ得るように、一般に、より複雑で且つ高価なばね負荷式のフェルールの設計のものを利用している。こうした設計は、より高価であることに加えて、部品数がより多く、また、追加的なより複雑な組め立てステップを必要とする。ガラスファイバシステムの場合、ファイバ間の整合を正確にし、また、空隙が全く存在しないように、ファイバを軸方向に偏倚させ得ることが特に重要なことである。プラスチックファイバシステムの場合、ファイバを共に整合させ且つ偏倚させることは依然、必要ではあるが、上記の場合程の精密さは不要である。このため、ガラス及びプラスチック製の光ファイバ接続システムの双方の設計において、より低廉な接続具の設計が望まれており、また、光ファイバ接続具の設計の改良も必要とされる。
【０００４】
このため、本発明の一つの目的は、改良された光ファイバ接続具システムを提供することである。
【０００５】
本発明の更に別の目的は、光ファイバプラグと係合する簡単で且つ低廉な設計の光ファイバジャックコンセントを提供することである。
【０００６】
本発明の更に別の目的は、プラグと係合したとき、ファイバを軸方向に偏倚させ得るように、単一のばね板ラッチを利用する、光ファイバジャックを提供することである。
【０００７】
【課題を解決するための手段】
本発明による光ファイバ接続具は、全体として、雄型プラグと係合し得るようにした前端に形成されたプラグ受け入れ開口部と、該プラグ受け入れ開口部内に配置されたばね板とを備え、該ばね板は、ジャックに対して内方にプラグを偏倚させ得るようにプラグ上の相補的な面と係合するカム手段を有する。
【０００８】
【発明の実施の形態】
本発明の思想を具体化する光ファイバ接続具システムは、全体として、添付図面にて参照番号１０で図示されている。図１及び図２に図示するように、該光ファイバ接続具システムは、横に並んだ一対の光ファイバケーブル５４を受け入れ且つ配置する光ファイバプラグ１４と、該プラグ１４の対応するファイバ５４と係合するように横に並んだ一対の光ファイバケーブル５４を受け入れ且つ配置する光ファイバジャック１２とから成っている。
【０００９】
図３及び図４に図示するように、該光ファイバジャック１２は、その前端２２にプラグ受け入れ開口部２０を有しており、その後端１８にて一対の光ファイバケーブル５４を受け入れる。該一対の光ファイバケーブル５４は、横端縁上に配置された歯部分を有する押し込み挿入体１６により保持され、該歯部分はファイバを傷付けずにファイバ外装内に部分的に切り込むように入って、軸方向荷重に対する抵抗力を提供する。該コンセント開口部２０は、該ジャックの前端２２に向けてコンセントの開口部の後部壁２６の底側部から伸長する単一の片持ち状ばね板２４を有する。該ばね板２４の作用領域は突き出すカム面を有する。該突き出すカム面は、相補的な光ファイバプラグ１４の下側に形成された凹所のカム面と係合可能に対応する。また、立ち上がったカム面２８は、挿入中にプラグ１４に係合し、ばね板２４を下方に偏向させる傾斜した前側の導入面３０も有している。また、プラグ受け入れ開口部内の底部に単一のばね板を配置することで、スペースを節約することが可能となる。このことは、光ファイバ接続具を使用する上で重要なことである。
【００１０】
図３及び図５に図示するように、光ファイバプラグ１４は、一対の光ファイバケーブル５４の間に配置された押し込み挿入体３２を備えている。該押し込み挿入体３２は、横端縁上に形成された歯部分を有し、該歯部分は、ファイバを傷付けずに、ファイバの外装内に部分的に切り込むように入って、軸方向への荷重に対する抵抗力を提供する。プラグの下側には凹所３６が形成されており、該凹所３６は、プラグ１４の前端から後方に隔たった位置に形成されている。カム面３８が凹所３６の前端に配置されている。該カム面は、プラグ１４をジャック１２内に完全に挿入したとき、ばね板２４上のカム面２８に対応し得るような位置に配置されている。
【００１１】
図６及び図７に最も良く図示するように、プラグ１４をジャック１２のソケット開口部２０内に挿入したとき、傾斜した導入面３０は、プラグ１４に当接し、プラグ１４が十分に挿入されて、ばね板カム２８がプラグ１４の凹所３６のカム面３８に係合する迄、片持ち状のばね板２４を下方に撓ませる。これらのばね板２４及びカム面２８、３８は、次のような角度とされている。即ち、プラグ１４のフェルール５６内に保持されたファイバ５４をジャックファイバ５４（ソケット開口部２０の後端から伸長する整合管５８内に配置されている）に向けて軸方向内方に向けた一定のばね偏倚力が生じるような角度とされる。
【００１２】
図８にはプラグ１４の標準的なラッチ機構３４の詳細が示されている。このラッチ機構は、ジャック開口部２０の頂部壁に対して弾性的に当接する。この弾性的なラッチ３４の接触動作は、単一のばね板２４の全ての上方への力に反作用し、プラグ１４のファイバ５４を水平方向に整合状態に保つのに役立つ。
【００１３】
図９乃至図１４には、金属製のばね板の設計を利用する、本発明の第二の実施の形態が図示されている。図１１に最も良く図示するように、片持ち状ビームのような金属製のばね板に対してその他の設計のものも使用可能ではあるが、この実施の形態に図示したばね板４０は、後方に曲がった金属製のばねクリップであり、このばねクリップは、ソケット開口部２０の下方後端に形成された凹所内に挿入された、後方に曲がった中間部分５０を有する。この金属製のばね板４０は、ソケットの張り出し部５２に係合する前端を有する下方脚部分４６と、後方に曲がった中間部分５０と、ばね板として作用する上方脚部分４８とを備えている。この上方脚部分４８は、該部分に形成されたカム面４２と、傾斜した導入面４４とを有する。この後方に曲がったばねの上方脚部分のカム面４２は、同様に、プラグ１４の凹状のカム領域３８と係合し、プラグをファイバに関して偏倚した位置に押し込んで、ジャックハウジング１２内に固着されるような同様な設計とされている。
【００１４】
二重接続具について、提案された光ファイバ接続具システムに関し説明したが、本発明の以下の教示に従ったその他の非二重接続具システムも具体化可能であることを理解すべきである。
【００１５】
更に、本発明の特に好適な実施の形態を図示し且つ説明したが、本発明の教示から逸脱せずに、変更及び改変例が具体化可能であることが、当業者には明らかであろう。上記の説明及び添付図面に記載した事項は、単に説明のためのみのものであり、限定的なものではない。本発明の実際の範囲は、従来技術に基づいて適正な観点から見たとき、特許請求の範囲に限定することを意図するものである。
【図面の簡単な説明】
【図１】本発明の光ファイバ接続具の設計による光ファイバジャックと係合した光ファイバプラグの斜視図である。
【図２】図示した光ファイバ接続具システムの光ファイバプラグ及び光ファイバジャックの係合する前の斜視図である。
【図３】図２の光ファイバ接続具システムの断面側面図である。
【図４】図２の光ファイバジャックの正面図である
【図５】図２の光ファイバプラグの正面図である。
【図６】一部係合したプラグ及びジャックの部分側面断面図である。
【図７】完全に係合した光ファイバプラグ及びジャックの側面断面図である。
【図８】図７の線８−８に沿った断面図である。
【図９】本発明の光ファイバジャックの第二の実施の形態の斜視図である。
【図１０】図９の光ファイバジャックの正面図である。
【図１１】第二の実施の形態の光ファイバプラグ及び光ファイバジャックの係合前の側面断面図である。
【図１２】一部係合した第二の実施の形態の部分側面断面図である。
【図１３】完全に係合した第二の実施の形態の側面断面図である。
【図１４】図１３の線１４−１４に沿った断面図である。
【符号の説明】
１０  光ファイバの接続具システム  １２  光ファイバジャック
１４  光ファイバプラグ            １６  押し込み挿入体
１８  光ファイバジャックの後端    ２０  プラグ受け入れ開口部
２２  光ファイバジャックの前端    ２４  ばね板
２６  開口部の後部壁              ２８  カム面
３０  カム面の導入面              ３２  押し込み挿入体
３４  ラッチ機構                  ３６  凹所
３８  カム面                      ５４  光ファイバケーブル
５６  フェルール                  ５８  整合管
【図１】
0004142757.tif 000002
【図２】
0004142757.tif 000003
【図３】
0004142757.tif 000004
【図４】
0004142757.tif 000005
【図５】
0004142757.tif 000006
【図６】
0004142757.tif 000007
【図７】
0004142757.tif 000008
【図８】
0004142757.tif 000009
【図９】
0004142757.tif 000010
【図１０】
0004142757.tif 000011
【図１１】
0004142757.tif 000012
【図１２】
0004142757.tif 000013
【図１３】
0004142757.tif 000014
【図１４】
0004142757.tif 000015